(57)【要約】【課題】高い熱電変換効率を確保でき、低コストで熱的安定性、化学的耐久性にも優れた薄膜構造の熱電変換素子及び熱電変換モジュール、並びにそれらの製造方法を提供する。【解決手段】この熱電変換モジュールは、絶縁体（１０）の上面に離隔して形成された複数個の第１の電極膜（１１，１２，１３）と、この第１の電極膜の上面にｐ型とｎ型が交互に離隔して配置された複数個のｐ型及びｎ型熱電半導体素子膜（１６，１９）及び（１７，１８）と、この第１の電極膜の離隔位置をまたぐようにｐ型熱電半導体素子膜（１９）とｎ型熱電半導体素子膜（１８）とを接続する第２の電極膜（２０）とを有し、端部に位置するｐ型及びｎ型熱電半導体素子膜（１６，１７）にそれぞれ端子電極が接続されている。【選択図】図３
2008270410.tif 000002
【特許請求の範囲】
【請求項１】
熱電変換材料の粉末に結着材を混合してペースト化したものを電極上面に薄膜状に硬化させたことを特徴とする熱電変換素子。
【請求項２】
前記熱電変換材料が、合成された酸化物熱電半導体であり、前記酸化物熱電半導体の粉末の粒径を０．１〜１０μｍとし、前記酸化物熱電半導体の粉末に金属酸化物を結着材として前記熱電半導体に対し０．５〜５０質量％の割合で加えて混合し、ペースト化したものを電極上面に薄膜状に硬化させた請求項１に記載の熱電変換素子。
【請求項３】
焼成硬化させた時の膜厚が１〜１００μｍであることを特徴とする請求項１または請求項２に記載の熱電変換素子。
【請求項４】
焼成硬化させた時の膜厚が１０〜２０μｍである請求項３に記載の熱電変換素子。
【請求項５】
絶縁体の上面に形成された第１の電極膜と、前記第１の電極膜の上面に互いに離隔して成膜されたｐ型及びｎ型熱電変換素子膜と、前記ｐ型及びｎ型熱電変換素子膜の上面に形成された第２の電極膜とを有し、前記第１の電極膜と前記第２の電極のいずれか一方が前記ｐ型及びｎ型熱電変換素子膜の間で離隔されていることを特徴とする熱電変換モジュール。
【請求項６】
絶縁体の上面に離隔して形成された複数個の第１の電極膜と、前記第１の電極膜の上面にｐ型とｎ型が交互に離隔して配置された複数個のｐ型及びｎ型熱電変換素子膜と、前記第１の電極膜の離隔位置をまたぐように前記ｐ型熱電変換素子膜と前記ｎ型熱電変換素子膜とを接続する第２の電極膜とを有し、端部に位置するｐ型及びｎ型熱電変換素子膜にそれぞれ端子電極膜が接続されていることを特徴とする熱電変換モジュール。
【請求項７】
前記第１の電極膜の離隔部分、及びこの離隔部分に臨む前記ｐ型及びｎ型熱電変換素子膜の間にガラス膜が介在される請求項６に記載の熱電変換モジュール。
【請求項８】
前記ｐ型及びｎ型熱電変換素子膜は、熱電変換材料の粉末に結着材を混合してペースト化したものを膜厚１〜１００μｍの薄膜状に硬化させた熱電変換素子膜である請求項６または７に記載の熱電変換モジュール。
【請求項９】
前記ｐ型及びｎ型熱電変換素子膜は、熱電変換材料の粉末に結着材を混合してペースト化したものを膜厚１０〜２０μｍの薄膜状に硬化させた熱電変換素子膜である請求項８に記載の熱電変換モジュール。
【請求項１０】
絶縁体の上面に複数個の互いに離隔した第１の電極膜をスクリーン印刷により形成する工程と、
前記第１の電極膜の離隔部分にガラス膜を形成する工程と、
前記ガラス膜を挟んでｐ型及びｎ型熱電変換素子膜を前記第１の電極膜上にスクリーン印刷により形成する工程と、
前記ガラス膜をまたいで前記ｐ型及びｎ型熱電変換素子膜の上面をスクリーン印刷により第２の電極膜で接続する工程と、
前記第２の電極膜で接続されていない端部位置の前記ｐ型及びｎ型熱電変換素子膜に端子電極膜を形成する工程と、
を有することを特徴とする熱電変換モジュールの製造方法。
【発明の詳細な説明】
【技術分野】
【０００１】
本発明は、物体の表裏面の温度差を電気エネルギーに変換し、あるいは電気エネルギーを前記表裏面の温度差に変換する熱電変換素子及びこの熱電変換素子を用いた熱電変換モジュール並びにその製造方法に関する。
【背景技術】
【０００２】
従来からゼーベック及びペルチェ効果を利用して熱エネルギーを電気エネルギーに変換したり、逆に電気エネルギーを熱エネルギーに変換する熱電変換システムが実用化されてきている。この熱電変換システムには熱電変換素子と称されるｐ型、ｎ型の熱電半導体が用いられるが、一般にこれらの素子は１素子当りの発生電圧が小さいので、複数の素子を直列に接続して実用可能な発生電力を得るようにしている。
【０００３】
例えば、特開平０５−６３２４３号公報（特許文献１）に示すように、合金タイプの一対のｐ型、ｎ型熱電半導体素子の上面どおしを接合するとともに、その下面を、その両側に隣接した他の一対の熱電半導体素子の下面と接合し、このようにして上下面交互に接合して直列接続構造を得ている。配列した各素子の上下面を絶縁板によって挟み、端子を絶縁板の端部に形成した構造を有している。
【０００４】
また、特開２００６−４９７９６号公報（特許文献２）では、セラミックスモジュールが開示されており、主に熱的安定性、化学的耐久性を有するセラミックスの切断によるπ型モジュール作製における接合法について述べている。
【０００５】
また、他の例として、特開２００５−２１７３５３号公報（特許文献３）のように熱電半導体の微粉末と導電性微粉末を添加物として有機系樹脂を主体とするペースト状に混合した熱電半導体素子を、基板に穿った孔に充填し、かつ基板の上下面を平滑面に研磨してから、この上下面に電極を形成した熱電変換モジュールが開示されている。この場合、基板の孔に熱電半導体素子を埋め込む手段として、スキージにより埋め込む印刷法を採用することが提案されている。
【０００６】
さらに、特開２００４−２８１７２６号公報（特許文献４）には、気相蒸着法を採用し、セラミックスを用いた場合の薄膜状熱電変換モジュールの作成方法が開示されている。
【特許文献１】特開平０５−６３２４３号公報
【特許文献２】特開２００６−４９７９６号公報
【特許文献３】特開２００５−２１７３５３号公報
【特許文献４】特開２００４−２８１７２６号公報
【発明の開示】
【発明が解決しようとする課題】
【０００７】
上述した特許文献１に記載の熱電半導体素子及び熱電変換モジュールは、熱電半導体素子のｐ型、ｎ型を交互に並べて配置し、隣接する素子の端子どおしを接合して直列接続構造を得るという構成をとっているので、製造に手間がかかり、また形状も嵩高になるという問題があり、セラミックスの熱電変換素子の場合、電極である金属との熱膨脹係数の差による剥離、及び電気的障壁の緩和を目的として熱的緩衝材を複数導入するため複雑な素子となり、工業的大量生産に向かないという問題もある。
【０００８】
また、特許文献３の構造は、基板に孔を穿つ機械的な工程が必要となり、さらに、この孔に埋め込んだ熱電半導体素子と基板上下面に貼着する電極との間の確実な接続を得るために、前記孔から若干前記熱電半導体素子が突出するように、例えばマスク用のフィルムを孔位置の外側に設けてから該半導体素子を前記孔に埋め込み、その後で基板上下面を研磨して電極で前記半導体素子の露出頭部全体を覆うという工程が必要である。
【０００９】
このように特許文献３のモジュール構成では、ｐ型熱電半導体素子と、ｎ型熱電半導体素子と、電極とを同一平面上で平面的に接続するという構造であるため、確実な接続を得るための工程が複雑となり、さらに、基板の孔に前記半導体素子を埋め込む構造から全体を薄形化するのに難点があった。
【００１０】
さらに、特許文献４では、素子の堆積方法が気相蒸着法（パルスレーザー）であり、真空中での膜形成処理が必要となるため、蒸着装置のコストが高くなる（酸化物系の場合、単に混合材を素子とすると発電特性がでないので、膜構造のモジュールを作製する場合は１００％熱電材料の焼結体もしくは単結晶膜作製技術を使用する必要がある。）。また、上記蒸着処理では、ｐ、ｎの各焼結温度が異なるため、モジュール化する際にｐ、ｎ素子の両方を同時に焼成処理できないという問題がある。
【００１１】
本発明は、上述した製造工程の複雑化、薄形化の困難性など、従来の問題点を解決し、さらに、熱電変換素子単体での良好なゼーベック係数を保ち、かつ高い熱電変換効率を確保でき、また、低コストで熱的安定性、化学的耐久性にも優れた薄膜構造の熱電変換素子及び熱電変換モジュール、並びにそれらの製造方法を提供することにある。
【課題を解決するための手段】
【００１２】
前記目的を達成するために、本発明に係る熱電変換素子は、熱電変換材料の粉末に結着材を混合してペースト化したものを電極上面に薄膜状に硬化させたものである。
すなわち、本発明によれば下記の熱電変換素子、熱電変換モジュール及び熱電変換モジュールの製造方法が提供される。
【００１３】
１．熱電変換材料の粉末に結着材を混合してペースト化したものを電極上面に薄膜状に硬化させたことを特徴とする熱電変換素子。
２．前記熱電変換材料が、合成された酸化物熱電半導体であり、前記酸化物熱電半導体の粉末の粒径を０．１〜１０μｍとし、前記酸化物熱電半導体の粉末に金属酸化物を結着材として前記熱電半導体に対し０．５〜５０質量％の割合で加えて混合し、ペースト化したものを電極上面に薄膜状に硬化させた前項１に記載の熱電変換素子。
３．焼成硬化させた時の膜厚が１〜１００μｍであることを特徴とする前項１または前項２に記載の熱電変換素子。
４．焼成硬化させた時の膜厚が１０〜２０μｍである前項３に記載の熱電変換素子。
５．絶縁体の上面に形成された第１の電極膜と、前記第１の電極膜の上面に互いに離隔して成膜されたｐ型及びｎ型熱電変換素子膜と、前記ｐ型及びｎ型熱電変換素子膜の上面に形成された第２の電極膜とを有し、前記第１の電極膜と前記第２の電極のいずれか一方が前記ｐ型及びｎ型熱電変換素子膜の間で離隔されていることを特徴とする熱電変換モジュール。
６．絶縁体の上面に離隔して形成された複数個の第１の電極膜と、前記第１の電極膜の上面にｐ型とｎ型が交互に離隔して配置された複数個のｐ型及びｎ型熱電変換素子膜と、前記第１の電極膜の離隔位置をまたぐように前記ｐ型熱電変換素子膜と前記ｎ型熱電変換素子膜とを接続する第２の電極膜とを有し、端部に位置するｐ型及びｎ型熱電変換素子膜にそれぞれ端子電極膜が接続されていることを特徴とする熱電変換モジュール。
７．前記第１の電極膜の離隔部分、及びこの離隔部分に臨む前記ｐ型及びｎ型熱電変換素子膜の間にガラス膜が介在される前項６に記載の熱電変換モジュール。
８．前記ｐ型及びｎ型熱電変換素子膜は、熱電変換材料の粉末に結着材を混合してペースト化したものを膜厚１０〜２０μｍの薄膜状に硬化させた熱電変換素子膜である前項６または７に記載の熱電変換モジュール。
９．前記ｐ型及びｎ型熱電変換素子膜は、熱電変換材料の粉末に結着材を混合してペースト化したものを膜厚１０〜２０μｍの薄膜状に硬化させた熱電変換素子膜である前項８に記載の熱電変換モジュール。
１０．絶縁体の上面に複数個の互いに離隔した第１の電極膜をスクリーン印刷により形成する工程と、
前記第１の電極膜の離隔部分にガラス膜を形成する工程と、
前記ガラス膜を挟んでｐ型及びｎ型熱電変換素子膜を前記第１の電極膜上にスクリーン印刷により形成する工程と、
前記ガラス膜をまたいで前記ｐ型及びｎ型熱電変換素子膜の上面をスクリーン印刷により第２の電極膜で接続する工程と、
前記第２の電極膜で接続されていない端部位置の前記ｐ型及びｎ型熱電変換素子膜に端子電極膜を形成する工程と、
を有することを特徴とする熱電変換モジュールの製造方法。
【発明の効果】
【００１４】
背景技術及びその問題点の箇所で述べたように、従来技術においては、導電率を向上させるため、酸化物系の素子として、高圧処理した通常の焼結体（密度９５％以上）か単結晶が用いられる（そのため熱伝導率も高くなる。）。これに対し本発明では、熱電材料の微粉末ペーストを焼成するため、粒子間の隙間が大きくなり、熱伝導率が低下する効果が得られる。本発明では、ペースト内に酸化物結着材を適量混合したペーストを利用し、さらに１０〜２０μｍの厚みの層構造に制御したときのみ、導電率の急激な低下（３０，０００ｍΩｃｍ→５００ｍΩｃｍ）が観察され、耐久性、同時焼成による一体成形以外に予期し得ない効果が達成される。
【００１５】
本発明によれば、熱電変換素子として酸化物材料を用い、これを薄膜化したので、大気環境下での性能劣化が防止され、また素子内の温度差を大きくすることが可能である。従来のセラミック切り出しによるπ型ブロック結合に比べて、はるかに薄形であるため、熱による歪みが小さく、長期間安定した性能が得られる。さらに、スクリーン印刷により薄膜化するため、平面に限らず、曲面などの形状への印刷にも対応でき、製造コストも低減され、安価に大面積を利用した発電、数十度の温度差での発電も可能となる。
【００１６】
本発明による薄膜型熱電変換モジュール及び熱電変換デバイスの適用例としては、工業用水冷設備における流入水（通常約６０℃）と流出水（約１５〜２０℃）の温度差による発電、下水処理場等の処理水が温水となる排水に対する外気あるいは常温水との温度差による発電が挙げられる。
その他、焼却炉をはじめとする熱処理炉における排ガス設備（通常１００°Ｃ以上）の部材表面部位に設置し、内部の排ガス温度と外気温との温度差による発電が可能である。さらに、熱媒体として空気、水、アンモニアなどを利用して地温と外気温との温度差で発電、建築構造物の外壁に設置し、外気温度と構造物温度との温度差を利用した発電、建物や温室ハウスのガラス部分の内外面に設置し、その室内温度と外気に触れるガラス面との温度差を利用した発電が可能である。さらには、バイオマスエネルギーとしての堆肥施設における、発酵温度と外気温、あるいは用水との温度差による発電も可能となるなど、多くの応用が期待される。
【発明を実施するための最良の形態】
【００１７】
本発明の１つの実施形態によれば、２９３〜１０７３Ｋの温度範囲において、熱起電力が２０μＶ／Ｋ以上である熱電変換素子が提供される。
【００１８】
また、本発明の他の実施形態によれば、２９３〜１０７３Ｋの温度範囲において、電気抵抗率が５００ｍΩｃｍ以下である熱電変換素子が提供される。
【００１９】
また、本発明に係る熱電変換モジュールは、絶縁体の上面に形成された第１の電極膜と、前記第１の電極膜の上面に互いに離隔して成膜されたｐ型及びｎ型熱電変換素子膜と、前記ｐ型及びｎ型熱電変換素子膜の上面に形成された第２の電極膜とを有し、前記第１の電極膜と前記第２の電極のいずれか一方が前記ｐ型及びｎ型熱電変換素子膜の間で離隔されていることを特徴とする。
【００２０】
また、本発明の他の形態による熱電変換モジュールは、絶縁体の上面に離隔して形成された複数個の第１の電極膜と、前記第１の電極膜の上面にｐ型とｎ型が交互に離隔して配置された複数個のｐ型及びｎ型熱電変換素子膜と、前記第１の電極膜の離隔位置をまたぐように前記ｐ型熱電変換素子膜と前記ｎ型熱電変換素子膜とを接続する第２の電極膜とを有し、端部に位置するｐ型及びｎ型熱電変換素子膜にそれぞれ端子電極膜が接続されている。
【００２１】
さらに、本発明によれば、絶縁体の上面に複数個の互いに離隔した第１の電極膜をスクリーン印刷により形成する工程と、前記第１の電極膜の離隔部分にガラス膜を形成する工程と、前記ガラス膜を挟んでｐ型及びｎ型熱電変換素子膜を前記第１の電極膜上にスクリーン印刷により形成する工程と、前記ガラス膜をまたいで前記ｐ型及びｎ型熱電変換素子膜の上面をスクリーン印刷により第２の電極膜で接続する工程と、前記第２の電極膜で接続されていない端部位置の前記ｐ型及びｎ型熱電変換素子膜に端子電極膜を形成する工程とを有する熱電変換モジュールの製造方法が提供される。
【００２２】
以下、本発明の実施の形態を図面に基いて説明する。
図１（Ａ），（Ｂ）は、本発明の１実施形態に係る熱電変換モジュールの平面図及び側部断面図である。熱伝導率の比較的良好な窒化物や炭化珪素などを含む絶縁性セラミック板（１）の上面に第１の電極膜（２）が形成され、この電極膜（２）の上面に熱電変換素子となるｐ型熱電半導体素子膜（３）及びｎ型熱電半導体素子膜（４）が互いに離隔して形成されている。また、基板（１）の両端上面には、それぞれｐ型熱電半導体素子膜（３）及びｎ型熱電半導体素子膜（４）に隣接してガラス膜（５）が貼着され、さらに、ｐ型熱電半導体素子膜（３）の上面からガラス膜（５）の上面にかけて、及びｎ型熱電半導体素子膜（４）の上面からガラス膜（５）の上面にかけて、第２の電極膜（６，７）が形成されている。各々のガラス膜（５）上の電極膜（６，７）は基板（１）に設けた端子電極（図示省略）に接続される。この構成により、基板下面側と第２の電極膜側との温度差により、端子電極間に起電力が生じる。
【００２３】
図２（Ａ），（Ｂ）は本発明の他の実施形態に係る熱電変換モジュールの平面図及び側部断面図である。図１の実施形態と同様な絶縁性基板（１）上に第１の電極膜（２，２）が互いに離隔して形成され、基板上面に接して、この電極膜（２，２）の離隔部分にガラス膜（５）が形成されている。そして、第１の電極膜（２，２）の上面に、熱電変換素子となるｐ型熱電半導体素子膜（３）及びｎ型熱電半導体素子膜（４）が形成されている。図示のように、これらのｐ型、ｎ型熱電半導体素子膜（３，４）はその間に介在されるガラス膜（５）によって互いに離隔されている。さらに、ガラス膜（５）をまたぐようにしてｐ型熱電半導体素子膜（３）とｎ型熱電半導体素子膜（４）を接合する第２の電極膜（８）が形成されている。第１の電極膜（２）は、それぞれ基板（１）に設けられた端子電極（図示省略）に基板上で接続されて熱電変換モジュールが構成される。基板下面側と第２の電極膜側との間の温度差により、端子電極間に起電力が生じることは図１の実施形態と同様である。
【００２４】
図１，図２の熱電変換モジュールは本発明の電極膜及びｐ型、ｎ型熱電半導体素子膜の配置関係の基本形であり、この基本形だけの構成では発生する起電力は極めて微弱でり、実用上の点では不充分である。したがって、実際には図１あるいは図２の形態のものをそのまま複数個１列につなぎ、さらに、この１列につないだものを複数個平行に配置してこれらの端部を直列接続となるように接合して熱電変換デバイスとして構成する。
【００２５】
図３（Ａ），（Ｂ）は図１，図２の基本形の熱電変換モジュールを複数個直列につないだ場合の熱電変換モジュール（デバイス）の平面図及び側部断面図である。
【００２６】
また、図４（Ａ）〜（Ｄ）は図３に示す熱電変換モジュールの製造工程を示す図である。
図３（Ａ），（Ｂ）を参照して、この実施形態の薄膜タイプ熱電変換モジュールを説明すれば、絶縁性セラミック基板（１０）の上面に矩形状の３体の第１の電極膜（１１，１２，１３）が形成され、また第１の電極膜（１１，１３）の外端部にそれぞれ断熱材となるガラス膜（１４）が、さらに第１の電極膜（１１，１２）の離隔部分及び第１の電極膜（１２，１３）の離隔部分にそれぞれ同様のガラス膜（１５）が、基板（１０）に接して形成されている。
【００２７】
第１の電極膜（１１，１３）の端部上面には、端部ガラス膜（１４）に接して、それぞれｐ型熱電半導体素子膜（１６）、ｎ型熱電半導体素子膜（１７）が形成され、さらに内側にある２つのガラス膜（１５）に接して第１の電極膜（１１，１２，１３）上にｎ型熱電半導体素子膜（１８）及びｐ型熱電半導体素子膜（１９）が形成されている。なお、これらのｐ型、ｎ型熱電半導体素子膜（１６，１９）及び（１７，１８）は全体としてモジュールの一方から他方へ向ってｐ型とｎ型が交互に配列されるように形成される。
【００２８】
ガラス膜（１５）を挟むｎ型熱電半導体素子膜（１８）とｐ型熱電半導体素子膜（１９）とを橋絡するように、それぞれのガラス膜（１５）をまたいで、第２の電極膜（２０）が形成され、さらに、端部側のｐ型熱電半導体素子膜（１６）及びｎ型熱電半導体素子膜（１７）の上面に端部側電極膜（２１）が形成される。この端部側電極膜（２１）は基板（１０）上に設けた端子電極に接続されている。なお、図示の例では、熱電変換モジュールの上面、すなわち第２の電極膜側は露出されているが、この面を適当な樹脂体や絶縁性ガラス体で覆うようにしてもよい。基板下面側と第２の電極膜側との間の温度差により、端子電極間に起電力が発生する。
【００２９】
図１〜図３の実施形態においては、基板を除くモジュールの膜厚が１μｍ以上１００μｍ以下の膜構造となっている。特に熱電半導体素子膜の膜厚は１０〜２０μｍ程度とするのが好ましい。熱電半導体素子の材質は、酸化物及び金属を有効成分として含むものが採用される。ｐ型あるいはｎ型熱電変換材料としては、例えば、ＮａＣＯ2Ｏ4、ＣａＣｏ4Ｏ9、ＣａＭｎＯ3、ＴｉＯ2、ＺｎＯ、ＳｒＴｉＯ3やＦｅ3Ｏ4等の酸化物系半導体材料が挙げられる。
【００３０】
熱電変換材料の母材となる成分としては、ｐ型あるいはｎ型熱電変換材料としては、例えば、ＮａＣＯ2Ｏ4、ＣａＣｏ4Ｏ9、ＣａＭｎＯ3、ＴｉＯ2、ＺｎＯ、ＳｒＴｉＯ3やＦｅ3Ｏ4等であり、これらに導電経路となり得る金属、あるいは半導体セラミックを混合させることにより、熱的に励起された電荷を効率的に抽出できる。
【００３１】
熱電半導体素子の粉末にスクリーン印刷用ペースト添加剤として添加される結着材は、金属酸化物または金属イオンを有効成分として含む高分子または溶剤が採用される。特に焼成時に酸化銅になるもの、例えば有機酸の銅塩、有機系のアルコキシド（Ｃｕ）、炭酸銅、硝酸銅が挙げられる。その他、ＣｕＯ、Ｂｉ2Ｏ3、Ｃｕ2Ｏ、ＰｂＯ、ＬｉＯ、Ｆｅ2Ｏ3、Ｆｅ3Ｏ4等の金属酸化物の１種または２種以上のものが採用されてもよい。また、Ｈ3ＢＯ3、Ｎａ2ＣＯ3、Ｌｉ−Ｂｉ−Ｓｉ系低融点ガラスの１種または２種以上を用いてもよい。
【００３２】
熱電半導体素子材料と結着材との割合は０．５〜５０質量％であり、例えばＣｕＯを結着材とした場合、熱電半導体素子材料に対してＣｕＯを０．５〜５０質量％、好ましくは５〜４０質量％含む構成とするのが好ましい。
【００３３】
また上記の第１、第２の電極膜の材質としては、酸素雰囲気下で焼成できるもの、例えばＰｔ、Ａｇ、Ａｌ等が用いられる。図１〜図３の実施形態では銀（Ａｇ）が採用されている。
【００３４】
基板としては、熱伝導が比較的良好な窒化物や炭化珪素等のセラミック基板、表面を絶縁処理した金属板、例えば、鉄の表面にアルミナや酸化ニッケルの拡散層を設けたもので、割れにくい材質のもの、高炉に酸素を吹き込んでアルミニウム合金の表面浸透を行ういわゆるカロライジング処理を施したもの、その他、セラミック薄板、セラミック管、あるいはガラス板、ガラス管なども採用可能である。
【実施例】
【００３５】
次に、図４（Ａ）〜（Ｄ）を参照して本発明の実施形態に係る熱電変換モジュールの製造工程を説明する。
【００３６】
実施例として、まず、この実施形態で用いる熱電半導体素子の準備をした。ｐ型材料として、以下のようにしてカルシウム・コバルト系酸化物熱電材料（Ｃａ2.7Ｌａ0.3Ｃｏ4Ｏ9）を調製した。すなわち、炭酸カルシウム（ＣａＣＯ3）、酸化ランタン（Ｌａ2Ｏ3）及び酸化コバルト（Ｃｏ3Ｏ2）を所定の組成：Ｃａ2.7Ｌａ0.3Ｃｏ4Ｏ9となるように秤量し、混合・プレス成形後、７８０℃で大気フロー（２００ｍｌ／ｍｉｎ）にて２時間仮焼成した。再度、粉砕・混合・プレス成形した後、８００℃で大気フロー（２００ｍｌ／ｍｉｎ）にて３時間仮焼成した後、粉砕後、プレス成形・ＣＩＰ（冷間等方圧加圧）成形（２００ＭＰａ）し、８７０℃大気中にて１０時間本焼成した。
また、ｎ型材料として、以下のようにしてカルシウム・マンガン系酸化物熱電材料（Ｃａ0.9Ｌａ0.1ＭｎＯ3）を調製した。すなわち、炭酸カルシウム（ＣａＣＯ3）、酸化ランタン（Ｌａ2Ｏ3）及び酸化マンガン（ＭｎＯ2）を所定の組成：Ｃａ0.9Ｌａ0.1ＭｎＯ3となるように秤量し、混合・プレス成形後、８００℃で大気フロー（２００ｍｌ／ｍｉｎ）にて１時間仮焼成した。次いでボールミルにて粉砕後、プレス成形・ＣＩＰ成形（２００ＭＰａ）し、１２００℃大気中にて１０時間本焼成した。
上記で合成したｐ、ｎ型の酸化物半導体をボールミルにて１８〜２４時間粉砕して、粒径０．５〜３μｍの微粉末を得た。
【００３７】
この各熱電半導体粉末に結着材として金属酸化物、例えば酸化銅（ＣｕＯ）、酸化ビスマス（Ｂｉ2Ｏ3）を熱電半導体に対し、０．５〜５０質量％、好ましくは５〜４０質量％の範囲で加える。また、樹脂、溶剤分として例えばエチルセルロース、α−テルピネオールを適量加え、混練しペースト状にする。
【００３８】
次に、ある巾寸法をもつ長尺のアルミナ等セラミック基板（１０）上に矩形状の第１の電極膜（１１，１２，１３）を互いに長手方向に離隔して銀ペーストにて３面パターンスクリーン印刷、大気中で８５０°Ｃで焼成する（図４（Ａ））。そして、この第１の電極膜（１１〜１３）の上に、前述したペースト状のｐ型熱電半導体素子とｎ型熱電半導体素子とを互いに離隔して、かつ前記ｐ型とｎ型が交互に配列されるようにパターンスクリーン印刷する（図４（Ｂ））。この時の膜厚１〜１００μｍとし、必要により２回以上の重ね印刷としてもよい。この実施形態ではｐ型、ｎ型熱電半導体素子膜（１６〜１９）がそれぞれ３体ずつ設けられ、図の左側から順にｐ型（左端）、ｎ型、……ｐ型、ｎ型（右端）と交互に配置される。
【００３９】
次いで、図４（Ｃ）に示すように、第１の電極膜（１１）と（１２）との間及び第１の電極膜（１２）と（１３）との間の離隔した部分に臨むｎ型とｐ型の熱電半導体素子膜（１８，１９）の間（２組）に断熱材としてのガラス膜（１５）を印刷するとともに、端部（左端）のｐ型熱電半導体素子膜（１６）に隣接してその外側、同様に端部（右側）のｎ型熱電半導体素子膜（１７）に隣接してその外側にそれぞれ断熱層としてのガラス膜（１４）を印刷する。続いて、両端のガラス膜（１４）に被さるように両端のｐ型、ｎ型熱電半導体素子膜（１６，１７）の上面に、また、内側２つのガラス膜（１５）をそれぞれまたぐように、第１の電極膜の離隔部分に臨むｎ型、ｐ型熱電半導体素子膜（１８，１９）をそれぞれ橋絡するように、第２の電極膜（２１，２０）をスクリーン印刷にて形成し、大気中で８５０℃で焼成する（図４（Ｄ））。両端に位置する第２の電極膜（２１）はそれぞれ基板端部に這わせた端子電極に接合される。
【００４０】
製造工程におけるスクリーン印刷後のペースト状の素材の焼成は、上述の如く各印刷毎に行っても良いし、また、すべてを印刷した後に行うか、あるいは任意の回数の印刷後に行うようにしてもよい。焼成方法としては、電気、ガス、燃料油などを熱源とする焼成炉、高周波による焼成などが採用される。なお、図４の実施形態では、基板（１０）に形成される第１の電極膜（１１〜１３）を３体とし、ｐ型、ｎ型熱電半導体素子膜を６体としたが、基板（１０）の長さ方向に沿ってさらに多くの電極膜及び熱電半導体素子膜を形成してもよいことは勿論である。
【００４１】
上述の実施形態は、板状の基板上にスクリーン印刷によって各電極及び熱電素子を形成する例であるが、硬質基板の代わりに紙転写技術を用いて各構成素子を形成することもできる。
【００４２】
図５（Ａ）〜（Ｃ）は転写紙を用いて熱電変換モジュールを形成する実施態様を示したものである。
【００４３】
この転写紙を用いた実施形態を以下に説明する。まず、図４の実施形態と同様に、合成されたｐ型の酸化物熱電半導体素子及びｎ型の酸化物熱電半導体素子をそれぞれボールミルなどで粉砕し粉末状にする。その粒径は０．１〜１０μｍであるが、好ましくは０．５〜３μｍとするのがよい。この各熱電半導体素子粉末に結着材として金属酸化物、例えば酸化銅（ＣｕＯ）、酸化ビスマス（Ｂｉ2Ｏ3）を熱電半導体に対し０．５〜５０質量％、好ましくは５〜４０質量％の範囲で加える。また、樹脂、溶剤分として例えばエチルセルロース、α−テルピネオールを適量加え、混練しペースト状にする。
【００４４】
印刷紙としては、紙表面に水溶性樹脂コートを施したものを用いる。この水溶性樹脂コート紙（２２）に、図５（Ａ）に示すように、第１の電極膜（２３）を形成し、その上にペースト状にしたｐ型熱電半導体素子とｎ型熱電半導体素子をスクリーン印刷により、図４の実施形態と同様に膜状に形成する。膜厚は１μｍ〜１００μｍとし、２回以上の重ね印刷を行ってもよい。また、図３及び図４でも説明したように、互いに離隔したｎ型熱電半導体素子膜（１８）とｐ型熱電半導体素子膜（１９）との間に、かつ樹脂コート紙（２２）上に断熱層としてガラスペーストをスクリーン印刷し、続いて各ガラス膜（１５）をまたいでｎ型、ｐ型熱電半導体素子膜（１８，１９）を橋絡するように第２の電極膜（２０）を印刷し、その上に樹脂コート（２４）を形成する。
【００４５】
このようにして転写紙に担持された積層体を水に浸積する。これによって水溶性樹脂が溶け、下側の転写紙（２２）がフィルム状に剥がれる（図５（Ｂ））。この状態で残った積層体（２５）を焼き付けたい対象物（２６）の表面に貼り付けた後、焼付け温度７００℃〜９００℃で焼成し、図５（Ｃ）の如く外側の樹脂コートを除去する。この薄膜状の積層体（２５）は対象物の平坦面部分に限らず、曲面箇所にも貼り付けることができ、したがって管状物の内、外面、あるいは、例えば車輛等の車体のわん曲面など任意の表面に付着させて用いることができる。
【００４６】
上述した帯状の熱電変換モジュールを複数個平面状に配置し、それぞれの端子電極を直列に接続して平面体熱電変換デバイスとして構成することができる。
図６はこの場合の実施形態を示す平面図である。基板（３１）上に、各列（横列）に３個のｐ型熱電半導体素子膜（２７）と３個のｎ型熱電半導体素子膜（２８）からなる熱電変換モジュール（３０）を行方向に８体平行に配置し、１列目の端部に位置するｐ型熱電半導体素子膜（２７）と２列目の端部に位置するｎ型熱電半導体素子膜（２８）とを電極膜を介して接続し、同様に２列目の反対側端部に位置するｐ型熱電半導体素子膜（２７）と３列目の端部に位置するｎ型熱電半導体素子膜（２８）とを電極膜を介して接続し、以下このようにして各列のｐ型熱電半導体素子膜とｎ型熱電半導体素子膜とを各列の間で直列に接続し、また１列目の反対側端部に位置するｎ型熱電半導体素子膜（２８）及び最後の行の熱電変換モジュールのｐ型熱電半導体素子膜（２７）を基板（３１）の端部で一対の端子電極（３２，３３）に接続する。
【００４７】
上述のように平面基板に複数個の熱電変換モジュールを設けた平面体熱電変換デバイスを複数枚積層して各層どおしの端子電極を直列に接続してさらに大きな容量の立体型熱電変換デバイスとして構成することも可能である。
【図面の簡単な説明】
【００４８】
【図１】本発明の１実施形態に係る熱電変換モジュールの平面図（Ａ）及び側部断面図（Ｂ）である。
【図２】本発明の他の実施形態に係る熱電変換モジュールの平面図（Ａ）及び側部断面図（Ｂ）である。
【図３】図１、図２の基本形の熱電変換モジュールを複数個直列につないだ場合の本発明の他の実施形態に係る熱電変換モジュール（デバイス）の平面図及び側部断面図である。
【図４】図３に示す熱電変換モジュールの製造工程を示す図である。
【図５】（Ａ）〜（Ｃ）は、ＨＡ転写紙を用いて形成した熱電変換モジュールの製造工程を示す図である。
【図６】（Ａ）〜（Ｄ）帯状の熱電変換モジュールを複数個平面状に配置して平面体熱電変換デバイスを構成した平面図である。
【符号の説明】
【００４９】
１，１０，３１  （絶縁性セラミック）基板
２，１１，１２，１３，２０  第１の電極膜
３，１６，１９，２７  ｐ型熱電半導体素子膜
４，１７，１８，２８  ｎ型熱電半導体素子膜
５，１４，１５  ガラス膜
６，７，８，２０，２１，２３  第２の電極膜
２２  水溶性樹脂コート紙（転写紙）
２４  樹脂コート
２５  積層体
３０  熱電変換モジュール
３２，３３  端子電極
【図１】
2008270410.tif 000003
【図２】
2008270410.tif 000004
【図３】
2008270410.tif 000005
【図４】
2008270410.tif 000006
【図５】
2008270410.tif 000007
【図６】
2008270410.tif 000008